(57)【要約】  方法はユーザが身だしなみのスタイルを選択できるように相互コンピュータ系ネットワーク上で支援を提供する。身だしなみのスタイルのデジタル画像がホストコンピュータ上でデータベースに保存される。身体特性及び人格特性の組合せが様々なビジネス及び／又は社交イベント同様にホストコンピュータ上でデータベースに保存される。ユーザの身体及び／又は人格特性に関係する情報及びユーザが参加予定のイベントに関係する情報をユーザが受信する。ホストコンピュータはユーザの身体及び／又は人格特性並びにユーザが参加する予定のイベントと合致する身だしなみのスタイルを決定し、身だしなみのスタイルをユーザへ送信及び表示する。方法は、過去のイベント用にユーザが選択した身だしなみのスタイルに関し、相互コンピュータ系ネットワーク上でソーシャルネットワーキングアレンジメントを介してフィードバックを受信及びコンパイルすることを更に提供する。
2013543603.tif 000002
【特許請求の範囲】
【請求項１】
ユーザーが身だしなみのスタイルを選択できるように、相互コンピューター系ネットワーク上で支援する方法であって、
身だしなみのスタイルのデジタル画像をホストコンピューター上でデータベースに保存すること、
身体特性及び人格特性の組み合わせを前記ホストコンピューター上で前記データベースに保存すること、
様々なビジネス及び／又は社交イベントを前記ホストコンピューター上で前記データベースに保存すること、
前記ユーザーの身体及び／又は人格特性に関係する情報を前記ユーザーから受信すること、
前記ユーザーが参加する予定のイベントに関係する情報を前記ユーザーから受信すること、
前記ユーザーの身体及び／又は人格特性、並びに前記ユーザーが参加する予定のイベントと合致する身だしなみのスタイルを前記ホストコンピューターによって決定し、それら身だしなみのスタイルを前記ユーザーへ送信及び表示すること、を有することを特徴とする方法。
【請求項２】
前記ユーザーの身体及び／又は人格特性、並びに前記ユーザーが参加する予定のイベントと合致すると決定された前記身だしなみのスタイルから、一つの身だしなみのスタイルを選択する際、前記身だしなみのスタイルに関してコメントする機会及び／又は評価する機会を、選択された友人及び／又は家族へ前記コンピューターネットワーク上にて電子メッセージにて提供することによって、友人及び／又は家族の協力をユーザーが依頼すること、を更に有することを特徴とする請求項１に記載の方法。
【請求項３】
前記ユーザーの身体及び／又は人格特性、並びに前記ユーザーが参加する予定のイベントと合致すると決定された前記身だしなみのスタイルに対応する身だしなみキットを前記ホストコンピューターによって決定すること、
前記ユーザーが前記身だしなみキットのうち一つ以上を購入できるように構築されたリンクに関する情報を前記ユーザーへ送信及び表示すること、を更に有することを特徴とする請求項１に記載の方法。
【請求項４】
前記身だしなみのスタイルのデジタル画像を前記ホストコンピューター上で前記データベースに保存することは、
それぞれ定義を有する身だしなみのスタイルの一群を選択すること、
前記身だしなみのスタイルの定義を前記ホストコンピューターに入力すること、
前記身だしなみのスタイルそれぞれに固有の識別子を割り当てること、
前記身だしなみのスタイル内の人間モデルの写真を示す前記デジタル画像を前記ホストコンピューターにアップロードすること、
前記身だしなみのスタイルに関係する全ての定義及び他の情報を前記ホストコンピューター内で前記データベースに保存すること、を有することを特徴とする請求項１に記載の方法。
【請求項５】
ユーザーの身体及び／又は人格特性と前記身だしなみのスタイルとをマッチさせるために、コンピューターでアクセス可能な参照テーブルを前記ホストコンピューターの前記データベース内に構築することを更に有し、
前記ユーザーの身体特性それぞれに対して記述子及びバリエーションを設定し、前記ユーザーがその中から選択することで、前記ユーザーの身体特性それぞれに関連する身だしなみの特性を提供すること、
前記ユーザーの人格特性に関連する情報を提供するために、前記ユーザーが選択しても良い人格カテゴリの一式を設定すること、
身だしなみのスタイルが推奨されるであろう社交及び／又はビジネスイベントを設定すること、
身体特性の個別オプションの名前を有する身体特性記録を前記データベース内に構築及び保存すること、
各人格カテゴリの名前を有する人格カテゴリ記録を前記データベース内に構築及び保存すること、
人格カテゴリの名前、及びいくつかの身体特性の個別オプションの名前を有する各グループ記録を前記データベース内に構築及び保存すること、
グループースタイル適合リスト内で定義された各グループに適していると決定された前記グループ記録に身だしなみのスタイルを割り当てること、
各エントリ記録を前記グループースタイル適合リスト内で構築及び保存すること、を有することを特徴とする請求項４に記載の方法。
【請求項６】
グループースタイルーイベント適合リストにて決められた社交及び／又はビジネスイベントで用いられるように、各定義されたグループに適していると決定された前記グループ記録に身だしなみのスタイルを割り当てること、
各エントリの記録を前記グループースタイルーイベント適合リスト内に構築及び保存すること、を更に有することを特徴とする請求項５に記載の方法。
【請求項７】
前記ユーザーの身体及び／又は人格特性に関係する情報を前記ユーザーから受信することは、
少なくとも一つの身体的特徴、及び前記ユーザーが利用できるその特徴の対応する様々な個別オプションを表示することと、
前記ユーザーが選択した前記少なくとも一つの身体的特徴の前記個別オプションのうち一つを受信することとを含む、
身体的特性の情報を前記ホストコンピューターによってリクエストすること、及び
前記ユーザーが選択した少なくとも一つの人格カテゴリを前記ホストコンピューターによってリクエストすること、を有することを特徴とする請求項１に記載の方法。
【請求項８】
前記ユーザーが参加する予定のイベントに関係する情報を前記ユーザーから受信することは、
前記身体特性情報及び／又は前記人格情報に基づいて、前記ユーザーが参加する可能性があるとみなされて選択されたイベントのリストを検索すること、
前記選択された可能性があるイベントのリストを前記ユーザーへ表示することで、前記ユーザーが、参加されるであろうイベントを前記リストから選択できること、を有することを特徴とする請求項７に記載の方法。
【請求項９】
過去のイベント用にユーザーが選択した身だしなみのスタイルに関して、相互コンピューター系ネットワーク上でソーシャルネットワーキングアレンジメントを介して、フィードバックを受信及びコンパイルする方法であって、
前記過去のイベントでの前記身だしなみのスタイルを表示する前記ユーザーの少なくとも一つの写真を、前記ホストコンピューターへ前記ユーザーがアップロードすること、
前記少なくとも一つの写真に表示される前記ユーザーの身だしなみのスタイルに関する友人及び／又は家族の意見及び／又はコメントを、選択された友人及び／又は家族へ前記相互コンピューター系ネットワーク上にて電子メッセージにて前記ユーザーが依頼すること、
前記少なくとも一つの写真に表示される前記ユーザーの身だしなみのスタイルに関する前記選択された友人及び／又は家族の意見及び／又はコメントを、前記相互コンピューター系ネットワークを介して前記ホストコンピューターで受信し、前記受信した意見及び／又はコメントを反映する記録を前記ホストコンピューターのデータベースに保存すること、を有する方法。
【請求項１０】
選択された友人及び／又は家族への前記電子メッセージは、前記ユーザーがアップロードした前記少なくとも一つの写真を表示するウェブサイトへの固有のリンクを有することを特徴とする請求項９に記載の方法。
【請求項１１】
前記選択された友人及び／又は家族の意見及び／又はコメントは、身だしなみの承認レイティングを有することを特徴とする請求項９に記載の方法。
【請求項１２】
前記少なくとも一つの写真に表示される前記ユーザーの身だしなみのスタイルに関する友人及び／又は家族の意見及び／又はコメントを、前記ユーザーが依頼することは、
前記少なくとも一つの写真を批評し、前記身だしなみの承認レイティングを提供することによって、前記選択された友人及び／又は家族が身だしなみのコンテストに参加するように依頼すること、を更に有することを特徴とする請求項９に記載の方法。
【請求項１３】
前記ユーザーに関する身だしなみの承認レイティングと他のユーザーに関して受信した身だしなみの承認レイティングとを前記ホストコンピューターにて比較すること、
前記受信した身だしなみの承認レイティングの比較に基づいて、前記身だしなみのコンテストの勝者を選び出すこと、を有すること特徴とする請求項１２に記載の方法。
【発明の詳細な説明】
【発明の詳細な説明】
【０００１】
[背景]
本発明は、選択されたイベントに参加するユーザーに相応しい、身だしなみのスタイルの推奨と推奨の購入可能なスタイルアクセサリとを、イベントにユーザーが参加する前に他者に求めて他者から取得する方法と、それらイベント後に、それらイベントでユーザーが選択したスタイルと作り上げた身だしなみとを他者が評価するための方法に関する。より具体的には、本発明は、相互コンピューター系ネットワーク上でこれら方法を実施することに関する。
【０００２】
重要な社交又はビジネスイベントに参加する意図のある人による、ヘアスタイルのようなスタイル及び必要な付随するアクセサリの選定は、当人の個人の特性と好みによってのみ決められるのではなく、友人及び／又は家族が当人に関して何を好むと当人が考えるかによっても決められる。既知及び未知の考えられる選択肢は広範囲に渡り、かつ、この点に関しては多かれ少なかれ他人の好みは分からないため、スタイルを選択する際に手助けが無い場合、当人は、そういった選択を行うことを難しく感じることがある。
【０００３】
しかしながら、そういったイベントに参加する人に適した選択肢の範囲に関して充分な情報を入手することは、時間を要し、考えられる選択肢が沢山あるため省略される傾向にある。更に、家族及び友人のような第三者が、自分たちの意見をサポートするのに考えられる選択肢を熟知していることを前提に、これらに関する彼ら第三者の意見を求めることは、彼ら第三者への過度な要求なしではアレンジすることが難しい。しかし、様々な参加者の身だしなみに関しては競争的側面がしばしば存在するため、そういったイベントに参加する意図のある人は、イベントにて人目に触れる彼らの身だしなみに関して、最善の選択、もしくは、少なくとも、良い又は正しい選択を行いたい。このように、重要なイベントに参加する意図のある人々にとっては、イベントの前後両方で、その選択の比較検討をも可能とするスタイル選定支援アレンジメントが望まれる。
[概要]
ユーザーが身だしなみのスタイルを選択できるように、相互コンピューター系ネットワーク上で支援する方法が提供される。身だしなみのスタイルのデジタル画像がホストコンピューター上でデータベースに保存される。身体特性及び人格特性の組み合わせが、様々なビジネス及び／又は社交イベント同様に、前記ホストコンピューター上で前記データベースに保存される。ユーザーの身体及び／又は人格特性に関係する情報、及びユーザーが参加する予定のイベントに関係する情報を前記ユーザーから受信する。ホストコンピューターは、ユーザーの身体及び／又は人格特性、並びにユーザーが参加する予定のイベントと合致する身だしなみのスタイルを決定し、それら身だしなみのスタイルを前記ユーザーへ送信及び表示する。
【０００４】
過去のイベント用にユーザーが選択した身だしなみのスタイルに関して、相互コンピューター系ネットワーク上でソーシャルネットワーキングアレンジメントを介して、フィードバックを受信及びコンパイルする方法が更に提供される。ユーザーは、過去のイベントでの身だしなみのスタイルを表示するユーザーの少なくとも一つの写真をアップロードする。その後、ユーザーは、少なくとも一つの写真に表示されるユーザーの身だしなみのスタイルに関する友人及び／又は家族の意見及び／又はコメントを、選択された友人及び／又は家族へ、相互コンピューター系ネットワーク上にて電子メッセージにて依頼する。ホストコンピューターは、少なくとも一つの写真に表示されるユーザーの身だしなみのスタイルに関する選択された友人及び／又は家族の意見及び／又はコメントを受信し、受信した意見及び／又はコメントを反映した記録をホストコンピューターのデータベースに保存する。
【図面の簡単な説明】
【０００５】
【図１】様々なスタイル選択肢を特徴づけるデータと、それに対応する画像表示とを、コンピューターベースデータストレージに入力する方法のフローチャートを示す。
【図２Ａ】適切な身だしなみを同時に提供すると判断される様々なスタイル選択肢を、選択された人間の身体的特徴のグループと関連付け、様々なスタイル選択肢を選択された社交及びビジネスイベントと関連付け、結果の関連配列をコンピューターベースデータストレージへ入力する方法のフローチャートを示す。
【図２Ｂ】適切な身だしなみを同時に提供すると判断される様々なスタイル選択肢を、選択された人間の身体的特徴のグループと関連付け、様々なスタイル選択肢を選択された社交及びビジネスイベントと関連付け、結果の関連配列をコンピューターベースデータストレージへ入力する方法のフローチャートを示す。
【図３】コンピューターベースネットワーク上にて、サイトユーザーが、コンピューターベースデータストレージへのアクセスと共にホストコンピューターベース業者ウェブサイトへアクセスし、サイトユーザーは、イベントの選択と共にユーザーの個人の特性に関するデータが入力可能であり、結果、イベント用の対応するスタイルと購入可能なスタイルアクセサリとをコンピューターベースネットワーク上にて入手できる方法のフローチャートを示す。
【図４Ａ】コンピューターベースネットワーク上にて、サイトユーザーが、受信者である家族又は友人又は両方を、ホストコンピューターベース業者ウェブサイトにて、選択したイベント用に選択できるスタイルの画像表示を見るように招待し、コンピューターベースネットワーク上で、そのスタイルの受信者の意見をユーザーへリターンする選択ができる条件の下で、リターンするように受信者に要求する方法のフローチャートを示す。
【図４Ｂ】コンピューターベースネットワーク上にて、サイトユーザーが、受信者である家族又は友人又は両方を、ホストコンピューターベース業者ウェブサイトにて、選択したイベント用に選択できるスタイルの画像表示を見るように招待し、コンピューターベースネットワーク上で、そのスタイルの受信者の意見をユーザーへリターンする選択ができる条件の下で、リターンするように受信者に要求する方法のフローチャートを示す。
【図５Ａ】コンピューターベースネットワーク上にて、業者が、対応するイベント開催後に、イベントユーザーアピアランスコンテストにエントリするようにサイトユーザーを招待し、エントリした場合、そのようなサイトユーザーのために、ユーザーのホストコンピューターベース業者ウェブサイトにて、対応ユーザーイベントでのイベント用にユーザーが選択したスタイルを含む画像表示を見るように受信者である家族又は友人又は両方を招待し、コンピューターベースネットワーク上で、イベントでのユーザーの身だしなみに関する受信者の意見と、比較上、そのイベント又はコンテストエントリ期間中の他のイベントでの他の似たサイトユーザーの身だしなみに関する受信者の意見とをユーザーへリターンするように受信者に要求し、結果、コンピューターベースネットワーク上で、受信者がそのようなリターンをユーザーに提供することを選択できる、方法のフローチャートを示す。
【図５Ｂ】コンピューターベースネットワーク上にて、業者が、対応するイベント開催後に、イベントユーザーアピアランスコンテストにエントリするようにサイトユーザーを招待し、エントリした場合、そのようなサイトユーザーのために、ユーザーのホストコンピューターベース業者ウェブサイトにて、対応ユーザーイベントでのイベント用にユーザーが選択したスタイルを含む画像表示を見るように受信者である家族又は友人又は両方を招待し、コンピューターベースネットワーク上で、イベントでのユーザーの身だしなみに関する受信者の意見と、比較上、そのイベント又はコンテストエントリ期間中の他のイベントでの他の似たサイトユーザーの身だしなみに関する受信者の意見とをユーザーへリターンするように受信者に要求し、結果、コンピューターベースネットワーク上で、受信者がそのようなリターンをユーザーに提供することを選択できる、方法のフローチャートを示す。
【図５Ｃ】コンピューターベースネットワーク上にて、業者が、対応するイベント開催後に、イベントユーザーアピアランスコンテストにエントリするようにサイトユーザーを招待し、エントリした場合、そのようなサイトユーザーのために、ユーザーのホストコンピューターベース業者ウェブサイトにて、対応ユーザーイベントでのイベント用にユーザーが選択したスタイルを含む画像表示を見るように受信者である家族又は友人又は両方を招待し、コンピューターベースネットワーク上で、イベントでのユーザーの身だしなみに関する受信者の意見と、比較上、そのイベント又はコンテストエントリ期間中の他のイベントでの他の似たサイトユーザーの身だしなみに関する受信者の意見とをユーザーへリターンするように受信者に要求し、結果、コンピューターベースネットワーク上で、受信者がそのようなリターンをユーザーに提供することを選択できる、方法のフローチャートを示す。
【図６Ａ】コンピューターベースネットワーク上にて、業者が、ユーザーのホストコンピューターベース業者ウェブサイトにて、対応ユーザーイベントでのイベント用にユーザーが選択したスタイルを含む画像表示を見るように、サイトユーザーが受信者である家族又は友人又は両方を招待するように、サイトユーザーを招待し、コンピューターベースネットワーク上で、イベントでのユーザーの身だしなみに関する受信者の意見をユーザーへリターンするように受信者に要求し、結果、コンピューターベースネットワーク上で、受信者がそのようなリターンをユーザーに提供することを選択できる、方法のフローチャートを示す。
【図６Ｂ】コンピューターベースネットワーク上にて、業者が、ユーザーのホストコンピューターベース業者ウェブサイトにて、対応ユーザーイベントでのイベント用にユーザーが選択したスタイルを含む画像表示を見るように、サイトユーザーが受信者である家族又は友人又は両方を招待するように、サイトユーザーを招待し、コンピューターベースネットワーク上で、イベントでのユーザーの身だしなみに関する受信者の意見をユーザーへリターンするように受信者に要求し、結果、コンピューターベースネットワーク上で、受信者がそのようなリターンをユーザーに提供することを選択できる、方法のフローチャートを示す。
【発明を実施するための形態】
【０００６】
[詳細説明]
本発明の、個人スタイルに関してインタラクティブに意見を求め、実施し、そして意見を収集するアレンジメントは、ユーザーが選択したイベント用に設定され、インターネットに基づく相互コンピューターネットワーク上にてホストコンピューターベース業者ウェブサイトを介して操作される。このアレンジメントは、インターネットサイトユーザーに相応しい推奨のイベント用スタイルを彼らが入手できる問合せ方法を提供する。つまり、このスタイル相互ネットワークアレンジメントは、サイトユーザーが参加することを選択しても良いイベントに特有な複数の所定のヘアスタイルのうち一つを、サイトユーザーが選択できるように支援し、所望のスタイルの達成を手助けする対応するスタイル実現キットをサイトユーザーが注文できるように支援する。複数の所定のヘアスタイルのうち、選択されたイベントに適した一つ又は複数のヘアスタイルが、身体特性、ヘア特性、及び年齢に基づいて、１４歳を超えるならば、人格特性にも基づいて、ホストコンピューター内の適切なコンピュータープログラムによって、問い合わせ中のサイトユーザーに更に適合される。なお、これら身体特性、ヘア特性、年齢、及び人格特性はすべて、当ユーザーによってホストコンピューターへネットワーク上で事前に提出されたものである。
【０００７】
そのために、検討中の様々な所定のヘアスタイルが、ホストコンピューター上にてデータベース内に、オペレータによって又はオペレータを介して、デジタル画像として保存される。また、考慮される身体特性、考慮されるヘア特性、考慮される年齢及び人格特性の様々な可能な組み合わせも同様に、基本コンビネーションセットとしてホストコンピューターデータベースに保存される。オペレータ、又はオペレータを介して行動する人が、所定のヘアスタイルのうちどれが各基本特性コンビネーションセットに相応しいかを判断し、また所定のヘアスタイルのうちどれが可能性のある各イベントに相応しいかを判断し、その結果である関係性もホストコンピューターデータベースに保存される。
【０００８】
コンピューターネットワーク上でホストコンピューターの業界ウェブサイトにてサイトユーザーが適切なスタイルに関して問合せしたうえで、そのユーザーがイベントタイプを選択し、要求された個人の特性を提供することに続いて、ホストコンピューターのコンピュータープログラムが、ユーザーが選択したイベントで用いられる一つの又は複数の対応する基本コンビネーションセットを検索する。この一つの又は複数のセットは、ホストコンピューターのそれらコンピュータープログラムが、選択されたイベントとサイトユーザーの個人の特性との両方に適した、推奨のヘアスタイル又は推奨の別のヘアスタイルを問い合わせ中のユーザーへ提供する基本となる。
【０００９】
推奨が行われると、サイトユーザーは、スタイル相互ネットワークアレンジメントを使用して、その推奨されたヘアスタイルに関する情報をコンピューターネットワーク上にてウェブサイトホストコンピューターから家族又は友人又は両方へ電子メールしてもらうことを選択しても良い。もし、ユーザーが選択した場合、イベント用のユーザーのそのヘアスタイルに対する彼らの反応をコンピューターネットワーク上にて彼らから入手可能である。同様に、ユーザーは、ユーザーが参加を計画している選択されたイベント用にユーザーが考慮している更なる他のヘアスタイルのいずれをも彼らに電子メールし、受信者が提示する更なる反応を受信者から再度入手するために、そのアレンジメントを使用しても良い。
【００１０】
イベントが開催された後は、イベントに関連して撮られたイベント用に選択したヘアスタイルを着用するユーザーの写真を、コンピューターネットワーク上にてウェブサイトホストコンピューターへアップロードするようにユーザーを促すインビテーションが、コンピューターネットワーク上でウェブサイトホストコンピューターからサイトユーザーへ電子メールされる。ひいては、このようなサイトユーザーは、スタイル相互ネットワークアレンジメントを使用して、ウェブサイトホストコンピューターがこのイベントヘアスタイルの情報をコンピューターネットワーク上にて家族又は友人又は両方へ電子メール送信するよう選択しても良い。ユーザーがそう選択した場合は、イベント用に使用したヘアスタイルへの家族又は友人又は両方の反応を彼らから再びコンピューターネットワーク上にて入手する。
【００１１】
イベントの日にちを含むコンテストエントリ期間にエントリすることで、イベントが開催された後、身だしなみコンテストに参加するようにユーザーを促すインビテーションもまた、コンピューターネットワーク上にて、ウェブサイトホストコンピューターからサイトユーザーへ電子メール送信される。コンテストに参加するために、サイトユーザーは、イベントに関連して撮られたイベント用に選択したヘアスタイルを着用する彼らの写真をコンピューターネットワーク上にてウェブサイトホストコンピューターへアップロードする。その後、サイトユーザーは、スタイル相互ネットワークアレンジメントを使用して、ウェブサイトホストコンピューターがこのイベントヘアスタイルの情報をコンピューターネットワーク上にて家族又は友人又は両方へ電子メール送信するよう選択しても良い。ユーザーがそう選択した場合は、イベント用に使用したヘアスタイルへの彼らの反応を彼らから再びコンピューターネットワーク上にて入手する。家族及び友人がそのヘアスタイルを採点する。全サイトユーザーからの点数は保存され、コンテストエントリ期間の終了と共に優勝者が選ばれる。点数が最も高い者が優勝者となり、優勝者は、コンピューターネットワーク上にてウェブサイトホストコンピューターによって、電子メールにてコンテストでの成功の連絡を受ける。
【００１２】
前述の点は、以下のスタイル相互ネットワークアレンジメント操作及びコンピュータープログラムフローチャートにてより詳細に説明される。図１は、ヘアスタイル記録を作り、業者のウェブサイトホストコンピューターデータベースへそれを追加するフローチャートプロセスを示す。プロセスは、スタートバルーン１０にて「ヘアスタイルの定義付け」と表示される。
【００１３】
それぞれが適切な定義を有するヘアスタイルの一グループが事前に選択されており、ボックス１１にて、定義がウェブサイトホストコンピューターに入力される。更にボックス１２にて、これらヘアスタイル定義のうち第１に固有のＩＤナンバーが割り当てられ、名前が付けられ、ウェブサイトホストコンピューターデータベースにてそれを保存及び検索する基礎が提供される。次に、それに続くボックス１３にて、そのヘアスタイル定義に対応するヘアスタイルを着用している人体モデルの写真がウェブサイトホストコンピューターにアップロードされる。平行四辺形１４にて、ヘアスタイル定義に関する蓄積された情報が、ウェブサイトホストコンピューターによって、対応するコンピューターデータベース１５に保存される。
【００１４】
決定ダイヤモンド１６にて、ウェブサイトホストコンピューターが、それに関して似た情報を蓄積するために、他のヘアスタイル定義が入手可能かどうかを決定するために判断する。もしそうである場合、入力されたヘアスタイル定義全てが、それについて必要な情報が蓄積されて、ウェブサイトホストコンピューターデータベースに入力されるまで、ウェブサイトホストコンピューターが、ボックス１１にて繰り返すようにプロセスに指示する。業者が他を入力しない場合、ウェブサイトホストコンピューターが、エンドバルーン１７で終了するようにプロセスに指示する。
【００１５】
図２は、特定のユーザー個人の特性（個人の身体的特徴と人格カテゴリとに基づく）とイベントを図１にて事前に定義されたヘアスタイルとに適合させるためにコンピューターでアクセス可能な「参照テーブル」を作り、その後、業者のウェブサイトホストコンピューターのデータベース１５に結果である各組み合わせを記録として追加するフローチャートプロセスを示す。図２Ａでは、ユーザー個人の特性の記述子が設定される。プロセスは、スタートバルーン２０にて、「ユーザー記述子設定」と表示される。図２Ａのボックス２１では、ヘアスタイルに関連して人の身だしなみを他人に結びつけるために重要であると思われる人間の身体的特徴の基本セットを、業者がウェブサイトホストコンピューターで設定する。その後、それら各特徴の多様な範囲を網羅する選択肢オプションの更なるセットが業者によりそこで設定される。サイトユーザーは、選択肢オプションの中から一つを選択し、その多様な範囲内のその特徴に関して身だしなみ特性を構築する。更に業者、少なくともある程度はユーザーの年齢により区別化される性格特性カテゴリ又は人格カテゴリの基本セットを設定する。最後に、ヘアスタイルがウェブサイトで推奨されるであろう社交及びビジネスイベントを設定する。これら設定事項は、平行四辺形２２にて、身体的特徴の個別オプションの名前を有する一つ又は複数のデータベース記録、及び各人格カテゴリの名前を有する一つ又は複数の記録の構築及び保存のために使われ、データベース１５に保存される。
【００１６】
その後、図２Ｂにて、ホストコンピューターが、これら設定事項の各組み合わせを見つけ保存する。そのプロセスは、スタートバルーン２３にて、「ヘアスタイル及びユーザー記述子の関連性を設定」と表示される。そのために、ホストコンピューターは、ボックス２４にて、身体的特徴の基本セットをデータベース１５から検索し、ボックス２４にて、個別オプションの対応セットをデータベース１５から検索し、ボックス２５にて、人格カテゴリの基本セットをデータベース１５から検索し、最後に、ボックス２６にて、事前に設定されたヘアスタイルをデータベース１５から検索する。ボックス２７にて、ホストコンピューターにより余すところなく設定されたこれら特徴の各組み合わせ、又は、ホストコンピューター又は業者又は両方が選択した考えうるこれら組み合わせが、固有のグループに割り当てられる。よって、各グループは、一つの人格カテゴリと、身体特性の基本セットに含まれる各身体特性にそれぞれ関する複数の個別オプションから構成される。その後、平行四辺形２８において、その中の各個別オプションの名前と人格カテゴリの名前とを含むデータベース記録を各グループ用にデータベース１５に構築及び保存する。
【００１７】
次に、ボックス２９にて、ホストコンピューターが、業者が事前に定義したヘアスタイルを検索する。ボックス３０にて、業者は、ホストコンピューターと各ヘアスタイルの先の定義とを用いて、グループでの使用に適していると判断された各ヘアスタイルをグループーヘアスタイル適合表内のそのグループに割り当てる。また、ボックス３１では、業者は、ホストコンピューターと各ヘアスタイルの先の定義とを用いて、社交、又はビジネスイベントでの使用に適していると判断された各ヘアスタイルを、グループーヘアスタイル適合表の拡張版であるグループーヘアスタイルーイベント適合表内のそのイベントに割り当てる。その後、業者は、平行四辺形３２にて、ホストコンピューターを使用して、グループーヘアスタイルーイベント適合表内の各エントリ記録をデータベース１５に構築及び保存し、「参照」テーブルの一部を形成する。その後、決定ダイヤモンド３３にて、ホストコンピューターは、固有のグループを形成するために、身体的特徴個別オプションセットと人格カテゴリとの他の考えうる組み合わせがあるかどうかを決定する。もしそうである場合、ホストコンピューターはボックス２４に戻り、他のグループを形成するコンポーネントを使用してプロセスを再開する。もしそうでない場合、プロセスはエンドバルーン３４にて終了する。
【００１８】
図３は、サイトユーザーが、イベントタイプの選定と共に、個人の特性を提供するために、業者のウェブサイトホストコンピューター及びそのデータベースへ相互コンピューターネットワークにてアクセスし、リターンとしてスタイルの推奨を受信するフローチャートプロセスを示す。プロセスは、スタートバルーン４０にて、「アクセス設定」と表示される。ボックス４１にて、サイトユーザーが業者のウェブサイトホストコンピューターへアクセスしログインする。そして、決定ダイヤモンド４２にて、ログインしたサイトユーザーが保存された個人の特性プロフィールを有するか否かをホストコンピューターが判断する。
【００１９】
決定ダイヤモンド４２にて、ユーザーがそのようなプロフィールを有すると判断すると、ホストコンピューターは、ボックス４３にて、ユーザーが事前に入力したプロフィールを閲覧するようにユーザーに指示する。その後、ホストコンピューターは、決定ダイヤモンド４４にて、ユーザーが自分の個人特性プロフィールの更新を希望するか否か決定させる。もしそうであれば、ユーザーは決定ダイヤモンド４４からボックス４５へ移動するように指示され、ユーザーの個人の特性プロフィールとしてどんな希望する情報も保存されるように修正が開始される。もしそうでない場合、ユーザーは、決定ダイヤモンド４４から個人の特性プロフィールデータエントリステップをスキップし、推奨のスタイルを入手し始めるように指示される。この詳細は以下に記載される。
【００２０】
決定ダイヤモンド４２にて、ログインしたサイトユーザーがそのような保存された個人の特性プロフィールを有していないと判断すると、ホストコンピューターがそこからボックス４５へユーザーを促し、ユーザーに関して何も事前に保存されていない状態から、ユーザーの現在及び将来の使用のために、続いてホストコンピューターデータベースに保存されるように、ユーザーがユーザー自身の一つ又は複数の個人の特性プロフィール記録の構築を開始できるように変更される。平行四辺形４６では、ホストコンピューターが、個人特性情報をユーザーから要請し、まずはユーザーの年齢から始める。その後、決定ダイヤモンド４７にて、ユーザーが１４歳未満か否かホストコンピューターが判断する。もしそうであれば、平行四辺形４８にて、ホストコンピューターは、図２Ａのプロセスで業者が設定した、身体的特徴及びその特性に利用できる対応する様々な範囲に渡る個別オプションをユーザーに表示し、その中からユーザーが各身体的特性に対して一つを選択することで、ユーザーの身体特性に関する個人特性情報をユーザーに要請する。もしそうでなければ、平行四辺形４９にて、ホストコンピューターは、図２Ａで業者が設定した人格カテゴリをユーザーに表示することで、ユーザーの性格に関する個人特性情報をユーザーに要請する。その後、上述の通り、平行四辺形４８にて、ホストコンピューターは、ユーザーの身体特性に関する情報をも要請する。
【００２１】
ホストコンピューターにより課されたこれら質問事項に対するユーザーの回答を収集した後、更なる決定ダイヤモンド５０にて、コンピューターが、ユーザーの個人特性プロフィールを構築するために、収集した回答がユーザーに許容されるか否かを判断する。許容される場合、平行四辺形５１にて、ユーザーの個人特性に関する蓄積された情報が対応するコンピューターデータベース１５にホストコンピューターによって保存される。許容されない場合は、ホストコンピューターが、ボックス４６へ戻るようにユーザーへ指示し、許容されるユーザープロフィールが作られデータベース１５に保存されるまで、個人特性の質疑応答プロセスの繰り返しが開始される。
【００２２】
決定ダイヤモンド４４にて、ウェブサイトホストコンピューターが、（一人の）現サイトユーザーがデータベース１５に保存された対応する個人の特性プロフィールをそのユーザー用に変更することを希望しないと決定した後、もしくは、ユーザーが開始した新しい又は変更された対応する個人の特性プロフィールが、決定ダイヤモンド５０にてユーザーによって受け入れられ、平行四辺形５１にてデータベース１５に保存されていると決定した後のいずれかにおいて、更なる決定ダイヤモンド５２にて、今後のイベント用の新しいヘアスタイルを含む新しいスタイルをユーザーが創作することを希望するか否か、ホストコンピューターがサイトユーザーへ問い合わせる。もしそうである場合、ボックス５３にて、ホストコンピューターが、推奨を含む返信メッセージを現サイトユーザーへ送信する準備をする。もしそうでない場合、サイトユーザーは前に選択されたスタイルの再使用という選択肢があるが、下記に示されるであろうように、ユーザーにより選択可能な許容される変更に依存する。
【００２３】
決定ダイヤモンド５２にて、第一に、新しいスタイルを創作することを選択したサイトユーザーを考えると、ボックス５３にて、ウェブサイトホストコンピューターが、現サイトユーザーに対応する個人の特性プロフィール（平行四辺形５１で保存後にコンピューターメモリに残っている場合を除いて）と、ユーザーのプロフィールから鑑みてユーザーが参加する可能性のある選択されたイベントのリストをデータベース１５から検索する。ホストコンピューターのプログラムは、ユーザーの対応する個人の特性プロフィールと業者による先の判断とに基づき、選択された考えうるイベント用の対応する推奨のスタイルをユーザーへ送信するために使用される一つ又は複数のディスプレイスクリーン選択肢を選択する。
【００２４】
その後、平行四辺形５４にて、ホストコンピューターが、ユーザーの個人の特性プロフィールに基づいてユーザーが参加するように思われるとして選択された考えうるイベントのリストをデータベース１５から検索し、平行四辺形５４にて現サイトユーザーへこれらイベントのリストを表示することで、そのリストから所望のイベントをユーザーが選択することを許容する。現サイトユーザーが、このスタイルセレクションエンデバーのためにユーザーに関連するイベントを選択した後、ホストコンピューターは、第一に、ボックス５５にて、ユーザーの身体及び人格特性をデータベースから検索し、ボックス５６にて、事前に定義され、これら特徴に適していると判断されたヘアスタイルを検索し、そして最後に、ボックス５７にて、選択されたイベントに適していると事前に定義されたヘアスタイルを検索する。
【００２５】
その後、ホストコンピューターは、ボックス５８にて、ユーザーの特徴とユーザーが選択したイベントとの両方に適合するヘアスタイルを決定し、更なるボックス５９にて、コンピューターネットワーク上にてその情報を送信し、ユーザーへの提案として結果であるヘアスタイルを表示する。更に当該ボックスでは、ホストコンピューターが、送信されたヘアスタイル提案に対応するヘアスタイルエイドキットをユーザーが検討できるために必要な情報を送信し、ユーザーが一つ以上のキットを購入する際に使用できるリンクを構築する。ボックス５９でユーザーへ表示されるスタイル情報と提案、及びキットの注文も、後に続く平行四辺形６０にてデータベース１５に保存される。
【００２６】
ユーザーのコンピューターにてヘアスタイル提案を見たユーザーは、続くボックス６１にて、このスタイル情報を、選択された家族及び友人へコンピューターネットワーク上で表示し、イベント用にユーザーが選択する際に彼らからの協力を促す機会を、ホストコンピューターにて連絡される。この機会は、決定ダイヤモンド６２にてユーザーにより承認され、バルーン６３にて、プレイベントプロセスとして指定されたアレンジメントにて着手される。つまり、プレイイベントプロセスに入るリンクがボックス６１にて提供され、結果、決定ダイヤモンド６２で行われる選択を介して、サイトユーザーをバルーン６３へ案内できる。プロセスは図４にて以下に説明される。一方、プレイイベントプロセスへのエンタを通して他の人との協力を希望しない場合、又は、その時点で希望しない場合、他のバルーン６４にてホストへのアクセスを終了するようにユーザーに指示する決定を決定ダイヤモンド６２でホストコンピューターが行うことで、インタラクティブセッションを終了する。
【００２７】
ここで、決定ダイヤモンド５２にて、典型的には、他のイベント用に以前に選択されたスタイルであって、以前に選択したスタイルを再使用するという可能な選択肢を考えると、新しいスタイルを創作しないと決定することで、ボックス６５にて、ウェブサイトホストコンピューターが、ヘアスタイルを含む、ユーザーが創作した決められた数の最新のスタイルを表すサイトユーザーの一つ又は複数の記録、及び、ユーザーが参加する意図がある今後予測されるイベント用にそれらをユーザーの好みにより合うように施すことが許される変更内容のリストを検索するように導く。ホストコンピューターのプログラムは、選択された以前使用したスタイル、及び同じ種類の考えうるイベント用の対応する代替推奨スタイルをユーザーへ送信するために使用される、対応する適切な一つ又は複数のディスプレイスクリーンを、そのユーザーの最新のスタイル選択、及び、それぞれに許可された変更内容に関する業者による事前の判断に基づき、決定する。これらは、サイトユーザーへ届き、ユーザーのコンピューターモニタースクリーン上にて彼らに表示される。
【００２８】
そのユーザーが以前に選択したスタイルを見たサイトユーザーは、決定ダイヤモンド６６にて、これらスタイルの一つ以上が、このユーザーが参加する意図のある今後のイベント用に選択されるのに適切であるか否かを判断可能であり、又は、以前使ったスタイルを選択するのではなく新しいスタイルを創作することを選択するために、決定ダイヤモンド５２に戻ることが可能である。もし、決定ダイヤモンド６６にて、１つ以上の以前に使用したスタイルを選択するとユーザーが決定する場合、他の決定ダイヤモンド６７にて、ユーザーは、認められた変更をそれらスタイルへ組み込みたいと希望するか否か、及び、認められた変更内容のうちどれをそれらスタイルへ組み込みたいと希望するかを選択する。
【００２９】
ユーザーが一つ以上の以前のスタイルを選択したが、それらへ認められた変更を施すことを希望する場合、ボックス６８にて、ユーザーは、変更する予定の以前のスタイルと、対応する変更点とを選択し、前回と同様、ボックス５９にて、ホストコンピューターは、これら選択内容を受信し、コンピューターネットワーク上にて対応する情報を送信し、結果であるヘアスタイルをユーザーへ表示する。ユーザーが、決定ダイヤモンド６６にて一つ以上の以前の変更内容を選択し、決定ダイヤモンド６７にてそれらへ認められた変更のいずれも施すことを選択しない場合、ホストコンピューターは、ボックス５９を介して、コンピューターネットワーク上にて対応する情報を送信し、結果として生じたヘアスタイルをユーザーへ表示する。以前選択したスタイルへの変更の有無に関わらず、ボックス５９にて、スタイル情報が、コンピューターネットワーク上にてホストコンピューターによってユーザーへ表示されると、表示されたものが、平行四辺形６０にてデータベース１５に保存され、上述の通り、ユーザーは、再度、プレイベントプロセスへエンタする選択肢か、又は、ホストコンピューターへのアクセス終了の選択肢を有する。
【００３０】
図４Ａと４Ｂは、選択したイベント用に考えられるスタイルが、サイトユーザーによって選択された家族又は友人へインビテーション中で送信可能であることを示すフローチャートでのプレイベント相互プロセスを示す。これら選択された人たちは、選択したイベントに参加する際にユーザーが採用するスタイルをユーザーが選択する際に、サイトユーザーとインタラクティブに連携するように促される。そして、このインビテーション及び結果として生じる連携により、業者ウェブサイトのホストコンピューターを介してコンピューターネットワーク上にて運用される「ソーシャルネットワーキング」アレンジメントが形成される。ここで、ウェブサイトユーザーは、ユーザーが送信した、スタイル選択又は様々な代替選択を検討した後、ヘアスタイルの選択のようなユーザーのスタイルセレクション及びその改善、又は、考えうる代替選択の評価に関して連携するように、コンピューターネットワーク上にてホストコンピューターを介して、彼らの選択された友人又は家族又は両方、の何れかに促すことができる。この連携は、ユーザーが選択したヘアスタイル選択と対応するスタイルエンハンサー、のようなスタイル選択又は考えうる選択に関する彼らの考えをユーザーへコンピューターネットワーク上にて提供するインビテーション受信者を介して行われ、スタイル選択を補完する。
【００３１】
インビテーションの形成及び送信プロセスは、プレイベントバルーン７０にて開始され、上述の通り、図３のプレイベントプロセスバルーン６３にて達成されるか、又は、図３のスタイルセレクションプロセスにて直前にエンタされることなく、コンピューターネットワーク上にて直接エンタされる。よって、図３のスタイルセレクションプロセスを完了した直後、又は、完了後しばらく経って、ユーザーはプレイベントプロセスを開始することができ、また、一旦そのプロセスを終了すると選択した後に直接プレイベントプロセスへ戻ることができる。
【００３２】
プレイベントプロセスにエンタすると、ボックス７１にて、ユーザーが家族又は友人又は両方へ提案された電子メールインビテーションを送り、以前に選択されたそれら家族及び友人が居る場合に彼らのホストコンピューター上にてデータベース１５に保存された家族及び友人の現リストを表示することで、ユーザーが彼らと通信できるようにするフォームコントロールへのリンクが、コンピューターネットワーク上にてユーザーに表示される。この電子メールインビテーションは、ユーザーが次にそうすると選択すると、選択された友人及び家族へそのリンク上にて自動的に送信される。そして、この電子メールインビテーションは、図３のインタラクティブなスタイルセレクションプロセスにて決定されたユーザーのスタイルセレクションに基づく意見又はコメントを促す。選択された受信者へのそのような送信に備えて、ユーザー固有であり、ユーザーの個人アカウントに基づくＵＲＬリンクが、業者ウェブサイトにてホストコンピューターにより拡大六角形７２にて準備される。そして、ボックス７３にて、ユーザーは、ボックス７１で最初に表示されたリストへ、名前と電子メールアドレスによって選択された家族又は友人を追加する。
【００３３】
ボックス７４にて、追加エントリ全てがデータベース１５に保存され、決定ダイヤモンド７５にて、リストへの追加が無い場合でも、ユーザーが、選択された家族又は友人のリストへのエンタを完了したかどうか、ユーザーが問合せを受ける。もしそうでない場合、ユーザーはボックス７３へ戻り他のエントリを提供する。第一回目にボックス７３へエンタした際、ユーザーがリストへの追加を行わず、決定ダイヤモンド７５にて完了していることを示す場合、ユーザーは、リスト更新を効果的にスキップし、ボックス７６へ進む。ボックス７６では、ユーザーは、事前に選択されているイベントのカレンダー日付をエンタするよう要求される。ボックス７３へ進んでユーザーがエントリ追加を行い、決定ダイヤモンド７５にて完了していないことを示す場合、決定ダイヤモンド７５にて完了していることを示すまでこのエントリプロセスを必要に応じてたびたび繰り返すことで、ユーザーは、新しいリストを更新するか、又は、既に準備されているリストを更に更新する。その後、ユーザーはボックス７６へ進み、上述の通り、すでに選択されているイベントのカレンダー日付をエンタするように要求される。よって、選択された家族及び友人のリストを完成させる際、ユーザーは、彼らへ送信するべきインビテーションフォームを完成させ、そのインビテーションを彼らへ送付するかどうかを決めるだけで良い。
【００３４】
従って、次に、ボックス７７にて、ユーザーは、イベントタイプとイベントの日付を含む、選択された家族及び友人宛ての彼らが提案したインビテーションを更新及び変更することが可能であり、図３の相互スタイルセレクションプロセスの結果であるスタイル情報の選択されたアスペクトの変更又はコメントが可能である。イベントの日付とタイプを含むインビテーションコンテントは、平行四辺形７８にてデータベース１５に保存される。
【００３５】
プレイベントプロセスのこの時点でのサイトユーザーは、更なる決定ダイヤモンド７９にて、インビテーションを既に完成したリスト上の人々へ送信するか、もしくは、決定ダイヤモンド７９のプレイベントプロセスをエンドバルーン８０を介して終了するかを決定できる。退いて、後で戻ると選択した場合、サイトユーザーは、プレイベントプロセスバルーン７０にてプロセスに再び入ることができ、ａ）リスト又はインビテーション情報に追加又は変更エントリを行い、再び平行四辺形７４及び決定ダイヤモンド７５にて、データベース１５にそれらを保存する、又は、ｂ）追加又は変更エントリを提供することをスキップして、決定ダイヤモンド７５に到達後に決定ダイヤモンド７９へ再び到達する。
【００３６】
リスト内の選択された家族及び友人へ保存されたインビテーションをコンピューターネットワーク上にてホストコンピューターから送信する決定が決定ダイヤモンド７９にて行われると、ボックス８１にてインビテーションフォームが作成され、業者ウェブサイトへの固有のＵＲＬリンクと共に、ユーザーリスト内の選択された全ての友人及び家族へ送信される。このインビテーションは、関連イベントのイベントタイプ及び日付に関する情報と、図３の相互スタイルセレクションプロセスにてユーザーが特定した関連イベント用にユーザーが検討中のスタイルを受信者が業者ウェブサイトで閲覧可能となる固有のＵＲＬリンクとを含む。インビテーションの送信により、インビテーション送信バルーン８２にて、プレイベントプロセスのサイトユーザー部分が終了する。
【００３７】
プレイベントプロセスの受信者部分が、図４Ｂのフローチャートの受信者スタートバルーン８３にて開始され、ここでは、インビテーション受信者は、彼らに送信されたインビテーションと、ＵＲＬリンク上でアクセスできるサイトユーザーの選択情報との両方を閲覧できる。ボックス８４に示されるとおり、リスト上の選択された家族及び友人は、図３の相互スタイルセレクションプロセスで決定されたユーザーのスタイルセレクションに基づいて、ユーザーへ意見を添えて回答するように彼らに依頼しているユーザーから、インビテーションのうち対応する一つと、固有のＵＲＬリンクとを受信する。その後、それに続くボックス８５にて、家族又は友人のそれぞれは、固有のＵＲＬリンクをクリック可能であり、コンピューターネットワーク上にて業者ウェブサイトへアクセスし、これらスタイルを閲覧可能となる。その際、各インビテーション受信者は、コンピューターネットワーク上にて、ボックス８６にて、フォームコントロールが表示され、イベント用にサイトユーザーが選んだ一つ又は複数の選択、又は入手可能な代替選択に関する考えに関して、サイトユーザーへコメントを提供でき、このために業者が選んだ評価アレンジメントから選んだ適切なレイティングを使用して、選択された又は選択可能なヘアスタイル又は他のスタイルを評価できる。回答している選択された友人及び家族からコンピューターネットワーク上でウェブサイトホストコンピューターにて受信されたコメント及び評価点は、平行四辺形８７にて、ホストコンピューターによりデータベース１５に保存され、エンドプロセスバルーン８８にて、プレイベントプロセスの受信者部分が終了する。
【００３８】
図５Ａ、５Ｂ、及び５Ｃは、ホストコンピューター業者ウェブサイトにて業者が開始及び管理し、コンピューターネットワーク上にてソーシャルネットワーキングアレンジメントを通して実施される、業者出資のポストイベントコンテスト用に使われるフローチャートプロセスを示す。このアレンジメントにおいて、コンテストは、イベントに参加したサイトユーザーに、そのイベント用にこのユーザーが選択したスタイルを示し、ユーザーが参加したイベントに関連して撮られた写真で、サイトユーザーがアップロードした写真を被選択者が閲覧した後に、選択された家族及び友人から肯定的な支持をコンピューターネットワーク上にて入手するようにサイトユーザーに要求する。
【００３９】
図５Ａは、ポストイベントプロセスと表示されるスタートバルーン１００で開始され、業者がコンテストの機会をサイトユーザーにお知らせした後に、業者出資のコンテストにエントリするためにサイトユーザーが着手するアクティビティをフローチャートにて示す。ボックス１０１にて、インビテーションが、コンピューターネットワーク上にてホストコンピューター業者ウェブサイトから、選択したサイトユーザーへ、業者により電子メールされる。このインビテーションは、ユーザーが参加する意図のあるイベントとして、ユーザーが業者へ事前に表明した関連イベントの開催日後に、電子メールされる。概して、サイトユーザーの業者へのそのような表明は、そのユーザーに現在関連する対応イベント用にスタイリング支援を業者から得る際に図３に示すプロセスにて業者ウェブサイトへアクセスしたユーザーを介して行われる。各インビテーションは、通常第一に関連イベント用にサイトユーザーが選択したヘアスタイルに基づくコンテストである業者のスタイルコンテストに参加するように、それと一緒に使用する業者プロダクトを追加して、受信するサイトユーザーを促す。
【００４０】
コンテストエントリアクティビティ開始前に、ユーザーは業者へ、コンピューターネットワーク上のホストコンピューターウェブサイトにて、そうするための業者の諸条件を承諾したことを表明しなければならない。このように、ボックス１０２にて、招待されたサイトユーザーは、ユーザーに関連するイベントに続く次のコンテストに参加する資格があるように、コンテストエントリ期間を含むコンテスト諸条件が表示される。招待されたサイトユーザーは、決定ダイヤモンド１０３にて諸条件を承認又は拒否することができる。拒否することで、ポストイベントプロセス終了バルーン１０４にて、業者ホストコンピューターが、拒否しているサイトユーザーをポストイベントプロセスから即座に外す。
【００４１】
代わりに、決定ダイヤモンド１０３にて、招待されたサイトユーザーが、業者出資コンテストの諸条件を容認する場合、ユーザーは、業者ホストコンピューターにより、ボックス１０５にて許可される機会を受け入れることで、コンテストにエントリするように案内され、彼らに関連したイベントに関連して撮られた彼ら個人の写真を業者が決めた制限数まで業者ホストコンピューターにアップロードする。それらの写真は、招待されたサイトユーザーによって、デジタルカメラメモリからユーザーのコンピューターメモリへ直接ダウンロード可能か、又は、完成した写真をデジタルスキャナーでユーザーがスキャンすることで、メモリにエンタ可能である。これにより、対応データをそのメモリに提供できる。
【００４２】
アップロード後は、ボックス１０６にて、サイトユーザーは、ユーザーが家族又は友人又は両方へ提案された電子メールインビテーションを送信し、データベース１５に保存されたそれら家族及び友人の現リストを、事前に選択されているかもしれない家族及び友人が居るならば、彼らのホストコンピューターにて表示することで、ユーザーが家族又は友人又は両方と通信できるようにするフォームコントロールへのリンクが、コンピューターネットワーク上にて、ユーザーに表示される。この電子メールインビテーションは、ユーザーが次にそうすると選択すると、選択された友人及び家族へそのリンクにて自動的に送信される。そして、この電子メールインビテーションは、関連イベントに参加する際にユーザーによって使用されたスタイルに基づく意見又はコメント又は両方を促す。更に、受信者は、同じイベントに参加した他者が選択したスタイルとの比較に関してもコメントするように求められても良い。選択された受信者への送信に備えて、ユーザー固有であり、ユーザーの個人アカウントに基づくＵＲＬリンクが、業者ウェブサイトにてホストコンピューターにより拡大六角形１０７にて準備される。そして、ボックス１４８にて、ユーザーは、ボックス１０６で最初に表示されたリストへ、名前及び電子メールアドレスによって更に選択された家族又は友人を追加可能である。
【００４３】
ボックス１０９にて、追加エントリがデータベース１５に保存される。決定ダイヤモンド１１０にて、リストへの追加が無い場合でも、選択された家族又は友人のリストへのエンタを完了したかどうか、ユーザーが問合せを受ける。そうでない場合、ユーザーはボックス１０８へ戻り他のエントリを提供する。第１回目にボックス１０８へエンタした際、ユーザーがリストへの追加を行わず、決定ダイヤモンド１１０にて完了していることを示す場合、ユーザーは、更なるリスト更新を効果的にスキップし、ボックス１１１へ進む。ボックス１１１では、ユーザーは、インビテーションフォームを検討するよう要求される。ボックス１０８へ進んで、ユーザーが追加エントリを行っており、決定ダイヤモンド１１０にて完了していないことを示す場合、決定ダイヤモンド１１０にて完了していることを示すまで、このエントリプロセスを必要に応じてたびたび繰り返すことで、ユーザーは新しいリストを更新するか、又は、既に準備されているリストを更に更新する。その後、ユーザーはボックス１１１へ進み、前述の通り、ユーザーは、インビテーションを検討するように要求される。よって、選択された家族及び友人のリストを完成させる際、ユーザーは、彼らへ送信されるインビテーションフォームを完成させ、彼らへインビテーションを送信するかどうかを決定するだけで良い。
【００４４】
このように、次に、ユーザーは、ボックス１１１にて、サイトユーザーが経験した関連イベントのアスペクトに選択的に行われたコメント、選択されたスタイルへの満足度、及び、アップロードされた写真を含む、彼らの選択された家族及び友人宛ての、彼らの提案されたインビテーションの更新及び変更が可能となる。インビテーションコンテントは、平行四辺形１１２にてデータベース１５に保存される。
【００４５】
ポストイベントプロセスのこの時点でサイトユーザーは、更なる決定ダイヤモンド１１３にて、インビテーションを既に完成されたリスト上の人々へ送信するか、もしくは、エンドバルーン１０４を介して決定ダイヤモンド１１３でのポストイベントプロセスを終了するか、決定できる。退いて、後で戻ると選択した場合、サイトユーザーは、ポストイベントプロセスバルーン１００にてプロセスに再び入ることができ、ａ）リスト又はインビテーション情報に追加又は変更エントリを行い、再び平行四辺形１１２及び決定ダイヤモンド１１３にて、データベース１５にそれらを保存する、又は、ｂ）追加又は変更エントリを提供することをスキップして、決定ダイヤモンド１１０に到達後に決定ダイヤモンド１１３へ再び到達する。
【００４６】
リスト内の選択された家族及び友人へ保存されたインビテーションをコンピューターネットワーク上にてホストコンピューターから送信する決定が決定ダイヤモンド１１３にて行われると、ボックス１１４にてインビテーションフォームと、電子メールに含めるウェブサイトへの固有のＵＲＬリンクとが作成される。続いて、ボックス１１５にて、対応するコンテストエントリ期間の初めに電子メール送信が行われ、その電子メールは、業者ウェブサイトへの固有のＵＲＬリンクと共にユーザーリストのユーザーが選択した友人及び家族全員へ送信される。このインビテーションは、関連イベントのイベントタイプ及び日付に関する情報と、サイトユーザーがアップロードした情報の受信者による業者ウェブサイトでの閲覧を可能とする固有のＵＲＬリンクとを含む。送信されたインビテーションは、インビテーション送信バルーン１１６にて、ポストイベントプロセスのサイトユーザー部分を終了する。
【００４７】
ポストイベントプロセスの受信者部分では、インビテーション受信者は、彼らに送信されたインビテーションと、ＵＲＬリンク上でサイトユーザーがアップロードした写真及びコメントとの両方を閲覧でき、本部分は、図５Ｂのフローチャートの受信者スタートバルーン１２０にて開始される。ボックス１２１で表示されている通り、リスト上の選択された家族及び友人は、関連イベントにユーザーが参加中にユーザーが使用したヘアスタイルのようなスタイルに基づく意見と併せて、ユーザーに回答するように求めているユーザーからのインビテーションのうち対応するものと、固有のＵＲＬリンクとを受信する。続くボックス１２２にて、各家族又は友人は、コンピューターネットワーク上で業者ウェブサイトへアクセスするために、固有のＵＲＬリンクをクリック可能である。よって、更なるボックス１２３にて、ホストコンピューターは、コンテストエントリ期間中に受信された、アップロード写真、コメント、及び関連イベントへの他参加者のランダムに選択された写真を有するページを集めて表示する。結果、固有のＵＲＬリンクをクリックする家族又は友人は、関連イベントにてサイトユーザーが使用したヘアスタイルを含めたスタイルを、そのユーザーがそこに追加したコメント内にある関連情報、及び、そのイベントの他参加者が選択したスタイルのいくつかと共に、ユーザーがアップロードした写真にて閲覧できる。
【００４８】
彼らのレビューに関連して、ボックス１２４にて、各インビテーション受信者は、コンピューターネットワーク上にてフォームコントロールが表示され、そこでは、関連イベントでのサイトユーザーの身だしなみの彼らの意見に関して、イベントへの他参加者の身だしなみとの比較も含め、サイトユーザーへコメントを提供することが可能である。また、各インビテーション受信者は、このために業者が選んだ評価アレンジメントに対応する形式で設定されたものの中からある身だしなみ承認レイティングを選択し、サイトユーザーが選択したヘアスタイル又は他のスタイルの評価が可能である。イベントに参加した他人の写真も表示され、提示された全写真に関連する身だしなみが評価された場合、これは、競争力のある身だしなみの承認レイティングとなるであろう。簡単な例としては、１から１００のスケールで、レイティングスコアが決められる。コンピューターネットワーク上で、回答する選択された友人及び家族からウェブサイトホストコンピューターが受信したコメント及びレイティングは、平行四辺形１２５にて、ホストコンピューターによりデータベース１５に保存され、エンドプロセスバルーン１２６にてこのポストイベントプロセスの受信者部分が終了する。
【００４９】
業者ウェブサイトでの、ホストコンピューターによる業者出資のコンテストの管理プロセスが、図５Ｃのフローチャートのスタートバルーン１３０にて開始される。ボックス１３１にて、ホストコンピューターは、サイトユーザーの各インビテーションを受けて、共通の関連イベントに参加するサイトユーザー用に、招待しているサイトユーザーの身だしなみのレイティングと共に回答した受信者からのサイトユーザーのレイティングをデータベース１５から検索する。このレイティングデータの検索の際、ホストコンピューターは、例えば、このために業者が選択したレイティングアレンジメントに従って各サイトユーザーに関して受信したレイティングを上述した１００に分割されたスケールで算術平均するような、対応する適切なグループ評価基準を決定する。例えば平均値のような、サイトユーザーグループ評価基準は、平行四辺形１３２にて、データベース１５にホストコンピューターによって保存される。
【００５０】
コンテストエントリ期間の終了後、ボックス１３３にて、業者ウェブサイトにて、ホストコンピューターが、コンテスト勝者が居る共通の関連イベントに参加したサイトユーザーのサイトユーザーグループ評価基準を検索し、例えば算術平均のような評価基準をソートし、最大のグループ評価基準値、つまり、例えば所与の最大の算術平均を見つける。ボックス１３４にて、ホストコンピューターが、最大のグループ評価基準値ソート内のサイトユーザー全員、つまり、所与の例の最大平均値と同一の平均値を有するサイトユーザー全員を決定し、結果、ボックス１３５にて示されるとおり、業者レビュー用に表示される一人以上のコンテストサイトユーザーのリストを提供する。ボックス１３６にて、業者は、電子メールを作成し、エンドバルーン１３７にて、コンテストでの優勝を連絡するために勝者へ電子メールを送信し、コンテストが終了する。
【００５１】
関連イベントの日程後にサイトユーザーへアナウンスされた業者出資コンテストに参加するのとは別で、図６Ａ及び６Ｂは、ホストコンピューター業者ウェブサイトトにて業者が管理する業者出資のポストイベントソーシャルネットワーキングファシリティ用に使用されるフローチャートプロセスを示し、そこでは、サイトユーザーと選択された家族と友人とが、コンピューターネットワークにて提供されたソーシャルネットワーキングアレンジメントにて、関連イベントでのサイトユーザーの体験を共有しコメントできる。このアレンジメントにおいて、関連イベントに参加したサイトユーザーは、そのイベント用にこのユーザーが選択したスタイルを示し、そのユーザーが参加したイベントに関連して撮られた写真で、サイトユーザーがアップロードした写真を被選択者に見てもらうように促すことで、コンピューターネットワーク上にて、選択された家族及び友人とこういったやり取りを開始する。
【００５２】
図６Ａは、業者がサイトユーザーへ機会の共有を連絡した後に、ファシリティを使用し始めるためにサイトユーザーが取る活動をフローチャートで示し、同様にポストイベントプロセスと表示されるスタートバルーン１４０で開始される。ボックス１４１にて、インビテーションが、コンピューターネットワーク上にて、ホストコンピューター業者ウェブサイトから業者によって、ユーザーが参加する意図があるイベントとしてこれらユーザーが業者へ事前に表明した関連イベントが開催された日の後に選択されたサイトユーザーへ電子メール送信される。通常、サイトユーザーの業者へのそのような表明は、そのユーザーに現在関連する対応イベント用にスタイリング支援を業者から得る際に図３に示すプロセスにて業者ウェブサイトへアクセスしたユーザーを介して行われる。各インビテーションは、関連イベント、及び、それと一緒に使用する業者プロダクトを追加して関連イベント用のユーザーの身だしなみをセットするためにサイトユーザーが選択したヘアスタイルのようなスタイルを、選択された家族及び友人に閲覧してもらい、コメントを交換してもらうために、業者の「シェアユアセルフ」というソーシャルネットワーキングファシリティに参加するように受信したサイトユーザーを促す。
【００５３】
ソーシャルネットワーキングアクティビティ開始前に、ユーザーは業者へ、コンピューターネットワーク上のホストコンピューターウェブサイトにて、そうするための業者の諸条件を承諾しことを表明しなければならない。このように、ボックス１４２にて、招待されたサイトユーザーは、ソーシャルネットワーキングファシリティ「シェアユアセルフ」の諸条件が提示される。招待されたサイトユーザーは、決定ダイヤモンド１４３にて諸条件を承認又は拒否することができる。拒否することで、エンドポストイベントプロセスバルーン１４４にて、業者ホストコンピューターが、拒否しているサイトユーザーをポストイベントプロセスから即座に外す。
【００５４】
代わりに、決定ダイヤモンド１４３にて、招待されたサイトユーザーが、業者出資のソーシャルネットワーキングファシリティ「シェアユアセルフ」の諸条件を容認する場合、ユーザーは、業者ホストコンピューターにより、ボックス１４５にて許可される機会を受け入れることで、コンテストにエントリするように命令され、彼らに関連したイベントに関連して撮られた彼ら個人の写真を業者が決めた制限数まで業者ホストコンピューターにアップロードする。それら写真は、招待されたサイトユーザーによって、デジタルカメラメモリからユーザーのコンピューターメモリへ直接ダウンロード可能か、又は、完成した写真をデジタルスキャナーでユーザーがスキャンすることで、メモリにエンタ可能である。これにより、対応データをそのメモリに提供できる。
【００５５】
アップロード後は、ボックス１４６にて、サイトユーザーは、ユーザーが家族又は友人又は両方へ提案された電子メールインビテーションを送信し、データベース１５に保存されたそれら家族及び友人の現リストを、事前に選択されているかもしれない家族及び友人が居るならば、彼らのホストコンピューターにて表示することで、ユーザーが家族又は友人又は両方と通信できるようにするフォームコントロールへのリンクが、コンピューターネットワーク上にて、ユーザーに表示される。この電子メールインビテーションは、ユーザーが次にそうすると選択すると、選択された友人及び家族へそのリンクにて自動的に送信される。そして、この電子メールインビテーションは、関連イベントに参加する際にユーザーによって使用されたスタイルに基づく意見又はコメント又は両方を促す。更に、受信者は、コンテスト用のデータとして、同じイベントに参加する際に他人が選択したスタイルとの比較におそらく基づいて、これらスタイルの点数を提供するように求められても良い。選択された受信者へのそのような送信に備えて、ユーザー固有であり、ユーザーの個人アカウントに基づくＵＲＬリンクが、業者ウェブサイトにてホストコンピューターにより拡大六角形１４７にて準備される。そして、ボックス１４８にて、ユーザーは、ボックス１４６で最初に表示されたリストへ、名前及び電子メールアドレスによって更に選択された家族又は友人を追加する。
【００５６】
ボックス１４９にて、追加エントリがデータベース１５に保存される。決定ダイヤモンド１５０にて、リストへの追加が無い場合でも、選択された家族又は友人のリストへのエンタを完了したかどうか、ユーザーが問合せを受ける。そうでない場合、ユーザーはボックス１４８へ戻り他のエントリを提供する。第１回目にボックス１４８へエンタした際、ユーザーがリストへの追加を行わず、決定ダイヤモンド１５０にて完了していることを示す場合、ユーザーは、更なるリスト更新を効果的にスキップし、ボックス１５１へ進む。ボックス１５１では、ユーザーは、インビテーションフォームを検討するよう要求される。ボックス１４８へ進んで、ユーザーが追加エントリを行っており、決定ダイヤモンド１５０にて完了していないことを示す場合、決定ダイヤモンド１５０にて完了していることを示すまで、このエントリプロセスを必要に応じてたびたび繰り返すことで、ユーザーは新しいリストを更新するか、又は、既に準備されているリストを更に更新する。その後、ユーザーはボックス１５１へ進み、前述の通り、ユーザーは、インビテーションを検討するように要求される。よって、選択された家族及び友人のリストを完成させる際、ユーザーは、彼らへ送信されるインビテーションフォームを完成させ、彼らへインビテーションを送信するかどうかを決定するだけで良い。
【００５７】
このように、次に、ユーザーは、ボックス１５１にて、サイトユーザーが経験した関連イベントのアスペクトに選択的に行われたコメント、選択されたスタイルへの満足度、及びアップロードされた写真を含む、彼らの選択された家族及び友人宛ての、彼らの提案されたインビテーションの更新及び変更が可能となる。インビテーションコンテントは、平行四辺形１５２にてデータベース１５に保存される。
【００５８】
ポストイベントプロセスのこの時点でサイトユーザーは、更なる決定ダイヤモンド１５３にて、インビテーションを既に完成されたリスト上の人々へ送信するか、もしくは、エンドバルーン１４４を介して決定ダイヤモンド１５３でのポストイベントプロセスを終了するか、決定できる。退いて、後で戻ると選択した場合、サイトユーザーは、ポストイベントプロセスバルーン１４０にてプロセスに再び入ることができ、ａ）リスト又はインビテーション情報に追加又は変更エントリを行い、再び平行四辺形１５２及び決定ダイヤモンド１５３に到達することで、データベース１５にそれらを保存する、又は、ｂ）追加又は変更エントリを提供することをスキップして、決定ダイヤモンド１５０に到達後に決定ダイヤモンド１５３へ再び到達する。
【００５９】
リスト内の選択された家族及び友人へ保存されたインビテーションをコンピューターネットワーク上にてホストコンピューターから送信する決定が決定ダイヤモンド１５３にて行われると、ボックス１５４にてインビテーションフォームが作成され、業者ウェブサイトへの固有のＵＲＬリンクと共に、ユーザーリストの選択された友人及び家族全員へ送信される。このインビテーションは、関連イベントのイベントタイプ及び日付に関する情報と、サイトユーザーがアップロードした情報の受信者による業者ウェブサイトでの閲覧を可能とする固有のＵＲＬリンクとを含む。送信されたインビテーションは、インビテーション送信バルーン１５５にて、ポストイベントプロセスのサイトユーザー部分を終了する。
【００６０】
ポストイベントプロセスの受信者部分では、インビテーション受信者は、彼らに送信されたインビテーションと、ＵＲＬリンク上でサイトユーザーがアップロードした写真及びコメントとの両方を閲覧でき、本部分は、図６Ｂのフローチャートの受信者スタートバルーン１６０にて開始される。ボックス１６１で表示されている通り、リスト上の選択された家族及び友人は、関連イベントにユーザーが参加中にユーザーが使用したヘアスタイルのようなスタイルに基づく意見と併せて、ユーザーに回答するように求めているユーザーからのインビテーションのうち対応するものと、固有のＵＲＬリンクとを受信する。続くボックス１６２にて、各家族又は友人は、コンピューターネットワーク上で業者ウェブサイトへアクセスするために、固有のＵＲＬリンクをクリック可能である。よって、ユーザーがそこに追加したコメントにある関連情報と共にアップロード写真内のスタイルを見ることができる。彼らのレビューに関連して、ボックス１６３にて、各インビテーション受信者は、コンピューターネットワーク上にてフォームコントロールが表示され、そこでは、関連イベントでのサイトユーザーの身だしなみの彼らの意見に関するコメント、及び、他のコメントを提供することが可能である。そう回答する選択された友人及び家族から、コンピューターネットワーク上にてウェブサイトホストコンピューターで受信されたコメントは、平行四辺形１６４にてデータベース１５へホストコンピューターによって保存され、エンドプロセスバルーン１６５にて、このポストエンドプロセスの受信者部分が終了する。
【００６１】
本発明を代表的な実施例に関して説明してきたが、本技術分野の当業者は、本発明がその精神を逸脱することなく、変更が可能であり、上述した以外の構成要素で用いることが可能であることを理解するであろう。更に、変更により、本発明の本質的な範囲から逸脱することなくある特定の状況又は物質を本発明の教義に適応させても良い。よって、本発明は、上述の特定の実施例に限定的に解釈すべきものではなく、添付の請求項の範囲に包含される全実施例を意図する。
【図１】
2013543603.tif 000003
【図２Ａ】
2013543603.tif 000004
【図２Ｂ】
2013543603.tif 000005
【図３】
2013543603.tif 000006
【図４Ａ】
2013543603.tif 000007
【図４Ｂ】
2013543603.tif 000008
【図５Ａ】
2013543603.tif 000009
【図５Ｂ】
2013543603.tif 000010
【図５Ｃ】
2013543603.tif 000011
【図６Ａ】
2013543603.tif 000012
【図６Ｂ】
2013543603.tif 000013
【国際調査報告】
2013543603.tif 000014
2013543603.tif 000015